(57)【要約】【課題】点光源を細長い形状の面光源に転換可能なLEDを光源とする照明装置を提供する。【解決手段】回路板２０、弧状透明板３０を備え、回路板２０上には一列に排列する、少なくとも２個のLED２１を設置し、弧状透明板３０は回路板２０の下方に設置し、各LED２１を遮蔽し、弧状透明板３０の外側面には密集して排列する弧状凸ライン３１を備え、各LED２１が発する光線は弧状透明板３０上の各弧状凸ライン３１の集光作用を経由し、各弧状凸ライン３１は新しい光源を形成し、すなわち各弧状凸ライン３１が集光することで、細長い形状の面光源を形成することができる。【選択図】図１
0003149590.tif 000002
【実用新案登録請求の範囲】
【請求項１】
回路板、弧状透明板、ライト台装置を備え、
前記回路板上には、一列に排列する、少なくとも２個のLEDを設置し、前記LEDは前記回路板の下端面に設置し、前記各LEDは等間隔に排列し、
前記弧状透明板は、前記回路板の下方に設置し、前記回路板上のすべてのLEDを遮蔽可能で、前記弧状透明板の外側面には、相互に平行で、密集して排列する若干の弧状凸ラインを備え、前記各弧状凸ラインの延伸方向は、前記各LEDの排列方向と垂直に交差状を呈し、しかも前記LEDは、前記弧状透明板の円弧の円心位置に位置し、
前記ライト台装置は、前記回路板と前記弧状透明板を組み立て固定することを特徴とするLEDを光源とする照明装置。
【請求項２】
前記隣接するLED間の距離は、前記回路板と前記弧状透明板との距離に等しいことを特徴とする請求項１に記載のLEDを光源とする照明装置。
【請求項３】
前記弧状透明板の内側は、霧状面であることを特徴とする請求項１に記載のLEDを光源とする照明装置。
【考案の詳細な説明】
【技術分野】
【０００１】
本考案は、LEDを光源とする照明装置に関し、特に点光源を細長い形状の面光源に転換可能なLEDを光源とする照明装置に関するものである。
【背景技術】
【０００２】
現在一般に目にする照明設備の多くは、蛍光灯管とランプである。該灯管の形状は、ほとんどが細長い形状か環状で、ランプは多くが球面状、或いは細い灯管を螺旋状に巻いた形状である。一方、LED(発光ダイオード)は、節電、高発光効率、コンパクト等の長所を備えるため、回路中の表示ランプとして用いられている。ここ数年、LEDの生産技術は極めて成熟し、その輝度は照明用途の程度にまで達しているため、プロジェクションランプへのLEDの使用も広がり始めている。
【０００３】
しかし、LEDを照明設備に運用するには、十分な輝度を達成し、従来の照明用ランプに置換するため、数個のLEDを集め、１個の照明設備とする必要がある。
しかし、LEDは小さな点光源であるため、２個以上の点光源が物体に投射する時には、ゴースト像を生じ、視覚上の偏差を引き起こす。すなわち、２個以上のLEDの光線が物体上に投射する時、ゴースト像を生じるため、LEDを光源として用いる照明設備は、消費者の受けが悪かった。
本考案は、従来のLEDを光源とする照明装置の上記した欠点に鑑みてなされたものである。
【考案の概要】
【考案が解決しようとする課題】
【０００４】
本考案が解決しようとする課題は、LEDの点光源を面光源に転換し、比較的均一な投射光線を提供することで、多数の点光源が引き起こすゴースト像の現象を解消し、照明効果の向上を達成することができるLEDを光源とする照明装置を提供することである。
【課題を解決するための手段】
【０００５】
請求項１の考案は、回路板、弧状透明板、ライト台装置を備え、
前記回路板上には、一列に排列する、少なくとも２個のLEDを設置し、前記LEDは前記回路板の下端面に設置し、前記各LEDは等間隔に排列し、
前記弧状透明板は、前記回路板の下方に設置し、前記回路板上のすべてのLEDを遮蔽可能で、前記弧状透明板の外側面には、相互に平行で、密集して排列する若干の弧状凸ラインを備え、前記各弧状凸ラインの延伸方向は、前記各LEDの排列方向と垂直に交差状を呈し、しかも前記LEDは、前記弧状透明板の円弧の円心位置に位置し、
前記ライト台装置は、前記回路板と前記弧状透明板を組み立て固定することを特徴とするLEDを光源とする照明装置としている。
請求項２の考案は、前記隣接するLED間の距離は、前記回路板と前記弧状透明板との距離に等しいことを特徴とする請求項１に記載のLEDを光源とする照明装置としている。
請求項３の考案は、前記弧状透明板の内側は、霧状面であることを特徴とする請求項１に記載のLEDを光源とする照明装置としている。
【０００６】
本考案は下記のLEDを光源とする照明装置を提供する。
回路板、弧状透明板、ライト台装置を備え、
該弧状透明板は該回路板の下方に設置し、該回路板上のLEDが発する光線は該弧状透明板を透過後、射出され、
該回路板上には、一列に排列する、少なくとも２個のLEDを設置し、
該弧状透明板の外側面には、密集して排列する弧状凸ラインを備え、
該各LEDが発する光線は該弧状透明板上の各弧状凸ラインの集光作用を経由し、光線は該各弧状凸ライン位置に分布し、多くの線光源を形成し、密集する線光源は該弧状透明板全体において面光源を形成し、
該弧状透明板の長さと幅は、原則として該回路板上のすべてのLEDを遮蔽可能な長さと幅とし、該弧状透明板上の弧状凸ラインは一種の凸レンズで、集光作用を備え、
該ライト台装置は該回路板と該弧状透明板を組み立て固定する。
【考案の効果】
【０００７】
本考案は、密集して排列する若干の弧状凸ラインを備える弧状透明板を利用し、点光源を細長い形状の面光源に転換可能で、ゴースト像の現象を解消可能であるため、細長い形状のデスクライト以外にも、天井に設置し使用することもでき、従来の細長い形状の照明装置に置換することができる。
【図面の簡単な説明】
【０００８】
【図１】本考案実施例の外観図である。
【図２】図１に示す実施例の局部断面図である。
【図３】図１に示す実施例の弧状透明板とライト台装置の分解図である。
【図４】図２中の4-4位置における断面拡大図である。
【考案を実施するための形態】
【０００９】
以下に図面を参照しながら本考案を実施するための最良の形態について詳細に説明する。
【００１０】
図１から図４に示すように、本考案LEDを光源とする照明装置は、回路板２０、細長い形状の弧状透明板３０、ライト台装置１０を備える。
弧状透明板３０は、回路板２０の下方に設置し、これにより回路板２０上のLED２１が発する光線は、必ず弧状透明板３０を通過した後に射出する。
【００１１】
回路板２０上には一列のLED２１を設置し、LED２１の個数は少なくとも２個であるが、本実施例中のLED２１の個数は９個である。照明装置の光線は、下方へと投射されるため、各LED２１は、回路板２０の下端面に設置する。
【００１２】
弧状透明板３０の長さと幅は、回路板２０上のすべてのLED２１を遮蔽可能であることを原則とする。
弧状透明板３０の外側面には、相互に平行で、密集して排列する若干の弧状凸ライン３１を備える。各弧状凸ライン３１は凹凸レンズを形成し、集光作用を備える。すなわち、弧状透明板３０上には、若干の集光レンズを密集して分布、設置する。
弧状透明板３０の弧度は、LED２１を円心とする円弧が最適である。
弧状透明板３０上の各弧状凸ライン３１の延伸方向は、各LED２１の排列方向と垂直に交差状を呈する。
【００１３】
ライト台装置１０は、回路板２０と弧状透明板３０を組み立て固定するために用い、完全な照明装置の構造体を形成する。
ライト台装置１０内部には、回路システム(図示なし)を設置し、回路システムは主に、正常な電源輸送ルートを提供する。回路システムは従来の構造であり、本考案の技術特徴ではないため、ここでは詳述しない。
【００１４】
回路板２０上のLED２１が下方へと投射する光線が、弧状透明板３０を経由する時には、弧状透明板３０上各弧状凸ライン３１の集光作用のため、各弧状凸ライン３１は線状の発光体を形成する。
各弧状凸ライン３１は、緊密に連接して設置するため、各弧状凸ライン３１を通して射出される線光源は、集結して面光源となる。
つまり、回路板２０上の各LEDが投射する光線は、弧状透明板３０を経由する時、弧状透明板３０内において均一に分布し、これにより弧状透明板３０は面光源となる。
【００１５】
本実施例において、弧状透明板３０上の弧状凸ライン３１の延伸方向は、前後延伸状で、回路板２０上に設置する一列のLED２１の排列方向は、左、右延伸状である。
よって、各弧状凸ライン３１の延伸方向と各LED２１の排列方向は、垂直交差状を呈する。これにより、弧状透明板３０底面により多い個数の弧状凸ライン３１を設置可能となり、このようにして光線は、より均一に弧状透明板３０上に分布する。
【００１６】
回路板２０上の各LED２１は、等間隔に排列する。
弧状透明板３０の設置位置は、弧状透明板３０全体がLED２１の投射する光線の照射を受けることができることが必須条件である。
もし、弧状透明板３０と回路板２０の距離が近過ぎれば、弧状透明板３０の部分によっては、光線の照射を受けられない位置も出て来るため、弧状透明板３０上に暗黒ブロックを形成し、全体面光源を形成することはできない。
実際には、回路板２０と弧状透明板３０の距離は、隣接する２個のLED２１間の間隔距離と相当か、或いはやや大きいことが望ましい。
【００１７】
上記した実施例において、各LED２１は点光源であるが、弧状透明板３０を設置することで、弧状透明板３０を透過する投射光は、全体的な面光源となり、よってライト下における物件のゴースト像現象を消滅させることができる。
弧状透明板３０の内側面には、霧状面を形成可能で、これによりLED２１の光線は弧状透明板３０内に進入後、散乱作用を生じる。
このようにして、光線は弧状透明板３０内においてより均一に分布し、さらに、各弧状凸ライン３１の集光作用により、透過光はさらに均一となる。
【００１８】
本考案が提供するLEDを光源とする照明装置は、密集して排列する若干の弧状凸ラインを備える弧状透明板を利用し、ゴースト像の現象を解消可能であるため、細長い形状のデスクライト以外にも、天井に設置し使用することもでき、従来の細長い形状の照明装置に置換することができる。
【符号の説明】
【００１９】
１０  ライト台装置
２０  回路板
２１  LED
３０  弧状透明板
３１  弧状凸ライン
【図１】
0003149590.tif 000003
【図２】
0003149590.tif 000004
【図３】
0003149590.tif 000005
【図４】
0003149590.tif 000006